(57)【特許請求の範囲】
【請求項１】
不揮発性記憶媒体の装着部と、メイン電源とは別に電源が供給され、省エネルギモードに入るとともに省エネルギモードから復帰させる省エネ制御部を有し、省エネルギモードに移行するとき、省エネ制御部は不揮発性記憶媒体が装着部に装着されているかどうかを確認し、不揮発性記憶媒体が装着されて、送信待機ファイルが有る場合は、送信待機ファイルの送信開始時刻を読み出して設定し、送信待機ファイルを不揮発性記憶媒体に格納してからメイン電源をオフにした省エネルギモードに移行し、不揮発性記憶媒体が装着されているが送信待機ファイルがないときは直ちにメイン電源をオフにした省エネルギモードに移行し、不揮発性記憶媒体が装着されていないときはメイン電源をオンにした省エネルギモードに移行することを特徴とするファクシミリ装置。
【請求項２】
前記省エネ制御部は、送信待機ファイルの送信開始時刻を読み出して設定したときに、設定した送信開始時刻になったときにメイン電源をオンにして省エネルギモードから復帰させる請求項１記載のファクシミリ装置。
【発明の詳細な説明】
【０００１】
【発明の属する技術分野】
この発明は、ファクシミリ装置、特に消費電力の低減に関するものである。
【０００２】
【従来の技術】
ファクシミリ装置では一定時間着信や送信がない場合、省エネルギモードに移行して消費電力の低減を図っている。この省エネルギモードを実現するために、例えば特開２０００−２３２５４０号公報に示すように、メインＣＰＵに対する電源供給がオフのときに、サブＣＰＵが時刻指定送信のために設定されている時刻を監視し、その時刻になるとメインＣＰＵに電源を供給し、時刻指定送信を行わせたり、一定時間間隔ごとにメインＣＰＵへ電源を供給させてファクシミリ装置の状態を監視するようにしている。
【０００３】
【発明が解決しようとする課題】
しかしながらファクシミリ装置は、時刻指定送信や親展受信などで画像データを一定時間保持しなければならない場合があり、この画像データを揮発性の画像メモリに格納して保持する場合、メイン電源をオフにできないという不都合がある。
【０００４】
これに対して画像データを保持するために不揮発メモリを使用すると、メイン電源をオフにする省エネルギモードに入ることはできるが、このようにメイン電源をオフにすると、時刻指定送信の場合、指定時刻に省エネルギモードから復帰できなくなる。これを防ぐために、特開２０００−２３２５４０号公報に示すようにサブＣＰＵを設け、省エネルギモードのときにサブＣＰＵに電源を供給しておく必要があり、省エネルギ効果が低減してしまう。
【０００５】
この発明はかかる短所を改善し、省エネルギ効果を向上させることができるファクシミリ装置を提供することを目的とするものである。
【０００６】
【課題を解決するための手段】
この発明に係るファクシミリ装置は、不揮発性記憶媒体の装着部と、メイン電源とは別に電源が供給され、省エネルギモードに入るとともに省エネルギモードから復帰させる省エネ制御部を有し、省エネルギモードに移行するとき、省エネ制御部は不揮発性記憶媒体が装着部に装着されているかどうかを確認し、不揮発性記憶媒体が装着されて、送信待機ファイルが有る場合は、送信待機ファイルの送信開始時刻を読み出して設定し、送信待機ファイルを不揮発性記憶媒体に格納してからメイン電源をオフにした省エネルギモードに移行し、不揮発性記憶媒体が装着されているが送信待機ファイルがないときは直ちにメイン電源をオフにした省エネルギモードに移行し、不揮発性記憶媒体が装着されていないときはメイン電源をオンにした省エネルギモードに移行することを特徴とする。
【０００７】
前記省エネ制御部は、送信待機ファイルの送信開始時刻を読み出して設定したときに、設定した送信開始時刻になったときにメイン電源をオンにして省エネルギモードから復帰させる。
【０００８】
【発明の実施の形態】
図１はこの発明のファクシミリ装置１の構成図である。ファクシミリ装置１は複写機能とプリンタ機能を有し、画像形成ユニット２の下部には記録紙を収納した２段の給紙トレイ３ａ，３ｂが設けられ、上部に読取ユニット４を有する。給紙トレイ３ａ，３ｂは給紙ローラ５ａ，５ｂを有しており、給紙ローラ５ａ，５ｂにより給紙トレイ３ａ，３ｂ内に積載された記録紙を１枚ずつ給紙する。給紙ローラ５ａ，５ｂの下流側近傍は合流して縦搬送経路６が形成されている。縦搬送経路６には、搬送ローラ７，８と、感光体ドラム９及び光学ユニット１０を有する画像形成部１１と、定着部１２が配置されている。この縦搬送経路６の下流端には排紙ローラ１３が設けられ、画像を形成した記録紙を排紙部１４に搬送する。また、縦搬送経路６の外側には、支軸１５を支点として回転方向に開閉可能な手差しトレイ１６が設けられている。この画像形成ユニット２の側面で支軸１５の上部近傍には手差し給紙を行うための給紙口が設けられ、両面ユニット１７と共通に用いられる搬送経路である共通搬送経路２０が搬送ローラ７と搬送ローラ８の間で縦搬送経路６と合流している。そして手差しトレイ１６を水平に開放したときに手差し給紙が可能となり、手差しトレイ１６にセットした記録紙は共通搬送経路２０から縦搬送経路６に搬送される。
【０００９】
給紙ユニット３ａ，３ｂあるいは手差しトレイ１６から給紙された記録紙は画像形成部１１に搬送される。画像形成部１１は、光学ユニット１０により感光体ドラム９に書き込まれて形成された静電潜像を現像し、現像した画像を記録紙に転写する。定着部１２は画像が転写された記録紙に熱及び圧力を加えて画像を定着する。画像が定着された記録紙は排紙ローラ１３から排紙部１４に排出される。両面ユニット１７は装置本体２の外側部に設置され、記録紙の両面に画像を形成するときは、片面に画像を形成した記録紙を画像形成ユニット２の上部に設けた搬送ローラ１８によりスイッチバック経路１９に送り、スイッチバック経路１９から両面ユニット１７を介して再び縦搬送経路６に記録紙を搬送する。
【００１０】
このファクシミリ装置１の制御装置２１は図２のブロック図に示すように、システム制御部２２とシステムメモリ２３と読出専用メモリ２４と不揮発性メモリ２５と網制御部２６とモデム２７と画像メモリ２８と符号化復号化部２９とエンジン制御部３０と省エネ制御部３１及び時計３２を有する。
【００１１】
システム制御部２２は装置全体の動作を制御するとともにファクシミリ伝送制御手順を実行する。システムメモリ２３はシステム制御部２２が制御プログラムを実行するときに、必要なデータを記憶したりワークエリアとして利用する。読出専用メモリ２４は制御プログラムや各種制御データを記憶する。不揮発性メモリ２５はフラッシュメモリカードやハードディスクからなり、着脱自在であり、時刻指定送信や親展受信などの画像データを格納する。網制御部２６は自動発信機能を有し、公衆回線網に接続する。画像メモリ２８は送信画像や受信画像を記憶する。符号化復号化部２９は画像データを圧縮したり、圧縮された画像データを伸長する。エンジン制御部３０は画像形成ユニット２の動作を制御する。省エネ制御部３１はシステム制御部２２からの指令でメイン電源の遮断を行うと共に、省エネからの復帰要因をシステム制御部２１によってプログラムされ、それらの復帰要因を検出するとメイン電源の復帰を行う。この省エネからの復帰要因とは例えば時計３２からの設定時刻信号や網制御部２６からのリンギング信号あるいは読取ユニット４からのなどある。この省エネ制御部３１と時計３２にはメイン電源とは別に電源が供給されるようハードウエア上で設計されている。また、前述した復帰要因を出力するユニットの一部にも必要最低限の電源が供給される。
【００１２】
このファクシミリ装置１で省エネルギモードに移行するときの動作を図３のフローチャートを参照して説明する。
【００１３】
ファクシミリ装置１が省エネルギモードに移行条件は、ファクシミリ装置１の操作が何もされなくなって一定時間経過したとき又は操作表示部３３で省エネルギキーが押されたときである。省エネルギモードに移行ずる条件になると、省エネ制御部３１は不揮発性メモリ２５が装着されているかどうかを確認する（ステップＳ１）。この確認の結果、不揮発性メモリ２５が装着されていると、省エネ制御部３１は送信待機ファイルがあるかどうかを確認する（ステップＳ２）。これはシステムメモリ２３のうちＳＲＡＭエリアにプログラムされたファイル管理テーブルをサーチすることにより実現できる。この確認の結果、送信時刻がプログラムされた送信待機ファイルが有る場合はシステムメモリ２３のファイル管理テーブルにプログラムされた送信開始時刻を読み出して時計３２に設定し（ステップＳ３）、送信待機ファイルを不揮発性メモリ２５に格納してメイン電源をオフにした省エネルギモードに入る（ステップＳ４）。このメイン電源をオフにした省エネルギモードに入ると、省エネ制御部３１はメイン電源の遮断を行い、時計３２に設定された送信開始時刻になったときにメイン電源を復帰させる。また、不揮発性メモリ２５が装着されていて、送信待機ファイルがない場合は、直ちにメイン電源をオフにした省エネルギモードに入る（ステップＳ２，Ｓ４）。また、不揮発性メモリ２５が装着されていない場合には、メイン電源をオンにした省エネルギモードに入る（ステップＳ１，Ｓ５）。
【００１４】
【発明の効果】
この発明は以上説明したように、省エネルギモードに移行するとき、不揮発性記憶媒体が装着部に装着されているかどうかを確認し、不揮発性記憶媒体が装着されているときメイン電源をオフにした省エネルギモードに入り、不揮発性記憶媒体が装着されていないときメイン電源をオンにした省エネルギモードに入るようにしたから、時刻指定送信や親展受信などの画像データがあってもメイン電源をオフにした省エネルギモードに入ることができ、消費電力を大幅に低減することができる。
【００１５】
また、省エネルギモードに移行するとき、不揮発性記憶媒体が装着部に装着されているかどうかを確認し、不揮発性記憶媒体が装着されているとき、送信待機ファイルが有る場合は、送信待機ファイルの送信開始時刻を読み出して時間を設定し、送信待機ファイルを不揮発性記憶媒体に格納してメイン電源をオフにした省エネルギモードに入り、不揮発性記憶媒体が装着されているが送信待機ファイルがないとき、直ちにメイン電源をオフにした省エネルギモードに入り、不揮発性記憶媒体が装着されていないときメイン電源をオンにした省エネルギモードに入るようにしたから、メイン電源をオフにした省エネルギモードに入っても、送信待機ファイルを喪失することを防ぐことができるとともに、送信待機ファイルを送信開始時刻に送信することができる。
【図面の簡単な説明】
【図１】この発明のファクシミリ装置の構成図である。
【図２】ファクシミリ装置の制御装置の構成を示すブロック図である。
【図３】省エネルギモードに移行するときの動作を示すフローチャートである。
１；ファクシミリ装置、２；画像形成ユニット、３；給紙トレイ、
４；読取ユニット、１１；画像形成部、１２；定着部、１４；排紙部、
１７；両面ユニット、２１；制御装置、２２；システム制御部、
２３；システムメモリ、２４；読出専用メモリ、
２５；不揮発性メモリ、２６；網制御部、２７；モデム、
２８；画像メモリ、２９；符号化復号化部、３０；エンジン制御部、
３１；省エネ制御部、３２；時計。
【図１】
0003816818.tif 000002
【図２】
0003816818.tif 000003
【図３】
0003816818.tif 000004